(57)【要約】【課題】とりたてて清掃作業などを行うことなく、汚れ、特に物体表面に付着した埃などの汚れを、簡便に除去することができる方法を提供する。【解決手段】光源（直管蛍光灯）１０２と、前記光源を収容する筐体（カバー）１００と、前記筐体の少なくとも一部を振動させる加振部１０６とを具備し、セルフクリーニングを可能とする照明器具。【選択図】図１
2011003370.tif 000002
【特許請求の範囲】
【請求項１】
光源と、
前記光源を収容する筐体と、
前記筐体の少なくとも一部を振動させる加振部とを具備したセルフクリーニング式照明器具。
【請求項２】
請求項１に記載のセルフクリーニング式照明器具であって、
前記加振部によって振動せしめられる振動部が、透光性部材であるセルフクリーニング式照明器具。
【請求項３】
請求項１または２に記載のセルフクリーニング式照明器具であって、
前記筐体の少なくとも一部が、少なくとも外表面が下方に傾斜する多数の傾斜面を含むセルフクリーニング式照明器具。
【請求項４】
請求項３に記載のセルフクリーニング式照明器具であって、
前記筐体の少なくとも一部が、前記傾斜面を構成面とする多面体を構成するセルフクリーニング式照明器具。
【請求項５】
請求項２乃至４のいずれかに記載のセルフクリーニング式照明器具であって、
前記透光性部材は、拡散面を構成するセルフクリーニング式照明器具。
【請求項６】
請求項２乃至５のいずれかに記載のセルフクリーニング式照明器具であって、
前記筐体は、開閉可能な笠部を含み、
前記笠部に前記加振部が装着されたセルフクリーニング式照明器具。
【請求項７】
請求項６に記載のセルフクリーニング式照明器具であって、
前記笠部は、円錐状表面をもつセルフクリーニング式照明器具。
【請求項８】
請求項１乃至７のいずれかに記載のセルフクリーニング式照明器具であって、
前記筐体の少なくとも一部は、鋸刃状の外表面を有するセルフクリーニング式照明器具。
【発明の詳細な説明】
【技術分野】
【０００１】
本発明は、セルフクリーニング式照明器具に係り、特に埃堆積防止機能を備えた照明器具に関する。
【背景技術】
【０００２】
ペンダント、あるいはシーリングライト１１００（図１０参照）に代表される一般住宅用照明器具において、ペンダント笠やシーリングライトグローブ（カバー）の特にリエント（reentrant：凹凸）部には、長期間の使用によりゴミ、埃や夜蛾など飛来昆虫の死骸などが堆積する。
ゴミや埃及び飛来昆虫の死骸の堆積は、著しく美観を阻害する上、グローブや笠（透光部材）の透過率も低下させる。
また、生活様式の変化に伴い、油脂類の使用が増え、照明器具においても、表面に付着した油膜や、油膜を接着層として油膜上に積層した埃（汚れ）が増大している。このため、清掃することなく長期間放置した場合、簡単な水拭き程度では落し難い状態になり、清掃が大変困難なものとなる。これは料理に使われる植物油などの油のミストが絡まるためともいわれている。
【０００３】
そこで、透明カバーの汚れに起因する発光量の低下を抑制可能な誘導灯を提供することを目的として、可視光型光触媒膜コートにより、有機物を分解するとともに、透光カバーを45°以上の傾斜角度で傾け、自然落下を促進する構造が提案されている（たとえば特許文献１）。
この構造では、誘導灯の透明カバーの表面には、照明灯などの可視光が照射すると触媒作用を発揮して有機物を酸化分解する二酸化チタン光触媒からなるコーティング層を形成し、透光カバーの表面を長期に亘って清浄状態に保持できるとしている。
【先行技術文献】
【特許文献】
【０００４】
【特許文献１】特開２００４−３０３６０３号公報
【発明の概要】
【発明が解決しようとする課題】
【０００５】
光源と、光源から出射される光を制御するカバーなどの透光性部材、反射鏡などの光学部材と筐体とで構成される照明器具は、さまざまな環境において使用される。
特に、住宅におけるキッチン、ダイニングなどにおいては、調理などの作業により油分などが飛沫となって飛散し、光学部材表面に付着して、光源からの光の出射効率や、反射効率を低下させ、照明器具としての効率を低下させることとなる。
【０００６】
しかしながら、分解・光触媒を利用すること、および埃が積もらないように傾斜を持たせるようにした特許文献１の照明器具では、汚れの分解速度が付着速度（堆積速度）よりも遅く、屋外で雨水により洗い流される場合を除き、このような光触媒コートは、さほど顕著な効果がない。
そこで物体表面に付着した汚れを、改めて清掃作業などを行ったりすることなく、簡単に除去する方法が求められている。
【０００７】
本発明は、前記実情に鑑みてなされたもので、汚れ、特に照明器具への埃の堆積を抑制し、簡便に美観を維持することのできる照明器具を提供することを目的とする。
また、とりたてて清掃作業などを行うことなく、簡便に汚れを除去することができるセルフクリーニング式照明器具を提供することを目的とする。
【課題を解決するための手段】
【０００８】
そこで本発明は、光源と、前記光源を収容する筐体と、前記筐体の少なくとも一部を振動させる加振部とを具備している。
この構成により、加振部で生起される振動によって筐体の少なくとも一部を振動させることで、埃の堆積を、抑制することができる。
【０００９】
また本発明は、上記セルフクリーニング式照明器具において、前記加振部によって振動せしめられる振動部が、透光性部材であるものを含む。
この構成により、加振部によって振動せしめられる振動部が、透光性部材であるため、点灯と振動を組み合わせることによって、演出性ある照明環境を楽しむことができる。
【００１０】
また本発明は、上記セルフクリーニング式照明器具において、前記筐体の少なくとも一部が、外表面が下方に傾斜する多数の傾斜面を含む。
この構成により、振動によって、筐体表面から離脱された埃が、傾斜面を伝って効率よく、落下することになり、作業性よく除去することができる。
【００１１】
また本発明は、上記セルフクリーニング式照明器具において、前記筐体の少なくとも一部が、前記傾斜面を構成面とする多面体を構成するものを含む。
この構成により、上記効果に加え、多面体がプリズム効果を奏功し、演出性に優れた照明器具を提供することができる。
【００１２】
また本発明は、上記セルフクリーニング式照明器具において、前記傾斜面表面の硬度は４Ｈ以上であるものを含む。
この構成により、表面の摩擦係数を小さくすることができ、埃の堆積を抑制することができる。なお、硬度を高める方法としては紫外線硬化型アクリルコートや湿気硬化型シリコンアルコキシド系コートなどのハードコート塗装がある。また、表面に撥水撥油コートを施す事やナノオーダーの微細凹凸加工を施す事で更にホコリの付着力を弱めることも可能である。
【００１３】
また本発明は、上記セルフクリーニング式照明器具において、前記傾斜面表面は表面平滑度Ｒａ０．１μｍ以下であるものを含む。
この構成により、表面平滑度Ｒａ０．１μｍ以下とすることで、摩擦抵抗を極めて小さくすることができ、より効率よく埃の堆積を抑制することができる。なお、紫外線硬化型アクリルコートや湿気硬化型シリコンアルコキシド系コートなどのハードコート塗装によっても表面の平滑化をはかることができる。
【００１４】
また本発明は、上記セルフクリーニング式照明器具において、前記透光性部材は、拡散面を構成するものを含む。
この構成により、傾斜面の組み合わせで構成しかつこの面を拡散面とすることで、光の拡散性をより高めることができ、演出性を高めることができる。
【００１５】
また本発明は、上記セルフクリーニング式照明器具において、前記筐体は、開閉可能な笠部を含み、前記笠部に前記加振部が装着されたものを含む。
この構成により、例えば点灯時には開き、消灯すると閉じるようにすることで、埃の堆積を抑制することができる。ここで笠の開閉は手動でもよいし、自動でもよく、形状記憶合金で形成することで、所望の形状を得ることができる。
【００１６】
また本発明は、上記セルフクリーニング式照明器具において、前記笠部は、円錐状表面をもつものを含む。
この構成により、効率よく埃を落下させることができる。
【００１７】
また本発明は、上記セルフクリーニング式照明器具において、前記筐体の少なくとも一部が、鋸刃状の外表面を有するように構成されたものを含む
この構成により、鋸刃の存在により、より効率よく埃を落下させることができる。
【００１８】
また本発明は、上記セルフクリーニング式照明器具において、前記筐体は、断面鋸刃状の円錐状の笠部を構成し、前記鋸刃の外表面が下方に向くように構成されたものを含む
この構成により、鋸刃の存在により、より効率よく埃を落下させることができる。
【発明の効果】
【００１９】
以上説明してきたように、本発明によれば、加振部により、埃が容易に筐体表面から引き剥がされるため、セルフクリーニングが確実となる。なお、加振部は、ランプ本体だけでなく、透光性部材や反射部材のいずれかに設けてもよい。さらにまた、ランプ本体に加えることで、透光性部材や反射部材に振動を与えるようにしてもよい。
【図面の簡単な説明】
【００２０】
【図１】本発明の実施の形態１のシーリングライトを示す断面概要図
【図２】本発明の実施の形態１のシーリングライトのカバーを示す図、（ａ）は全体斜視図、（ｂ）は同要部斜視図
【図３】本発明の実施の形態２のペンダントライトを示す外観図
【図４】本発明の実施の形態２のペンダントライトを示す要部斜視図
【図５】本発明の実施の形態３のペンダントライトを示す断面説明図
【図６】本発明の実施の形態３のペンダントライトを示す要部斜視図
【図７】本発明の実施の形態４のペンダントライトを示す断面説明図、（ａ）は開状態を示す図、（ｂ）は閉状態を示す図
【図８】本発明の実施の形態４のペンダントライトの笠部の要部拡大断面図
【図９】本発明の実施の形態の笠部の要部拡大断面図
【図１０】従来例のシーリングライトを示す図
【発明を実施するための形態】
【００２１】
以下本発明の実施の形態について図面を参照しつつ詳細に説明する。
【００２２】
（実施の形態１）
本発明の実施の形態１のシーリングライトについて説明する。図１はこのシーリングライトの断面説明図、図２（ａ）は同シーリングライトのカバーを示す図、図２（ｂ）は同要部説明図である。
このシーリングライトは、図１に示すように、ランプ本体１０１に振動を与える加振部１０６を具備したことを特徴とするものである。加振部１０６により、シーリングライトのカバー１００への埃の堆積を抑制するものである。
【００２３】
本実施の形態では、図１に断面図を示すように、ランプ本体１０１に振動を与える加振部１０６を具備している。また、図２（ａ）および（ｂ）に示すように、シーリングライトのカバー１００を構成する基材１１０の表面に、外表面が下方に傾斜する多数の傾斜面１１を含み、この傾斜面が角錐１０を構成している。そして、加振部１０６によって振動され、振動によって、カバー１００を構成する基材１１０の表面から離脱された埃が、傾斜面を伝って効率よく、落下することになり、作業性よくセルフクリーニングを行うことができる。
本実施の形態１のシーリングライトは、カバー１００を、表面に傾斜面１１からなる角錐１０となるように、凹凸加工された透光性樹脂で構成している。図２（ｂ）に示すように、カバー１００を構成する基材１１０は凹部と傾斜面を構成する凸部(角錐)とが規則的に配列されている。この基材表面は、埃がテーパ面をすべることで付着するのを防止しうる程度のピッチおよび深さ、硬度、平滑性をもつように構成されている。
【００２４】
ここで、カバー１００は、ガラス製の基材１１０に紫外線硬化型アクリルコートをしたものを用いている。これにより、表面の硬度は４Ｈ以上、表面平滑度Ｒａ０．１μｍ以下とすることができ、平滑で硬度の高い表面を得ることができ、埃の堆積を抑制するとともに、加振部による振動により、カバー１００の表面から埃を離脱させ、傾斜面を通って埃を効率よく落下させることができる。
【００２５】
なお、このカバー１００を構成する基材１１０の表面の硬度は４Ｈ以上であるのが望ましい。この構成により、表面の摩擦係数を小さくすることができ、埃の堆積を抑制することができる。
【００２６】
また、傾斜面表面は表面平滑度Ｒａ０．１μｍ以下であるのが望ましい。表面平滑度Ｒａ０．１μｍ以下とすることで、摩擦抵抗を極めて小さくすることができ、より効率よく埃の堆積を抑制することができる。
【００２７】
また、このコーティングは、紫外線硬化型アクリルコートのほか、湿気硬化型シリコンアルコキシド系コートなどのハードコート塗装をすることによって形成してもよく、表面の平滑化および硬度の向上をはかることができる。
【００２８】
本実施の形態のシーリングライトは、通例の構造をとるものであるが、器具本体１０１に直管蛍光灯１０２が装着され、基板１０３に実装された点灯回路１０４によって点灯制御がなされるように構成されている。
【００２９】
このように、本実施の形態によれば、加振部１０６を構成する振動子で生起される振動によってカバー１００の少なくとも一部を振動させることで、埃の堆積を、抑制することができる。
【００３０】
また本実施の形態では、加振部１０６によって振動せしめられるカバー１００が、透光性部材で構成されているため、点灯と振動を組み合わせることによって、演出性ある照明環境を楽しむことができる。
【００３１】
また振動によって、カバー表面から離脱された埃が、傾斜面を伝って効率よく、落下することになり、作業性よく除去することができる。
【００３２】
また、傾斜面１１からなる角錐１０の組み合わせで構成される多面体がプリズム効果を奏功し、演出性に優れた照明器具を提供することができる。
【００３３】
（実施の形態２）
次に本発明の実施の形態２について説明する。
前記実施の形態１では、シーリングライトについて説明したが、本実施の形態では、図３および図４に示すように、ペンダントライトについて説明する。図３はこのペンダントライトの外観を示す図、図４は同ペンダントライトの笠部を示す図である。
このペンダントライトは、図３に示すように、笠部２００に振動を与える加振部２０６を具備したことを特徴とするものである。加振部２０６により、ペンダントライトの笠部２００への埃の堆積を抑制するものである。
【００３４】
また、図４に示すように、ペンダントライトの笠部２００を構成する基材２１０の表面に、外表面が下方に傾斜する多数の傾斜面１１を含み、この傾斜面が角錐２１を構成している。そして、この笠部２００が加振部２０６によって振動され、振動によって、笠部２００を構成する基材２１０の表面から離脱された埃が、傾斜面を伝って効率よく、落下することになり、作業性よくセルフクリーニングを行うことができる。
【００３５】
本実施の形態２のシーリングライトは、笠部２００を、表面に傾斜面１１からなる角錐２１となるように、凹凸加工された樹脂で構成している。図４に示すように、笠部２００を構成する基材２１０は傾斜面を構成する凹部と傾斜面を構成する凸部とが規則的に配列されている。この基材表面は、埃がテーパ面をすべることで付着するのを防止しうる程度のピッチおよび深さ、硬度、平滑性をもつように構成されている。
【００３６】
（実施の形態３）
次に本発明の実施の形態３について説明する。
本実施の形態では、前記実施の形態２と同様、ペンダントライトについて説明する。図５および図６は、このペンダントライトの全体説明図、および同要部説明図である。
このペンダントライトは、図５に示すように、円錐形の笠部３００を具備し、この笠部３００に振動を与える加振部３０６を具備したことを特徴とするものである。本実施の形態では円推形の笠部の上縁近傍に笠部のテーパ面に沿って配置された加振部３０６により、笠部３００に対しテーパ面に沿った振動を生起せしめ、ペンダントライトの笠部３００への埃の堆積を抑制するものである。ここで３０２は、白熱電球などの電球あるいは電球型蛍光灯などの光源である。
【００３７】
また、本実施の形態においても図６に示すように、ペンダントライトの笠部３００を構成する基材３１０の表面に、外表面が下方に傾斜する多数の傾斜面１１を含み、この傾斜面が角錐３１を構成している。そして、この笠部３００が加振部３０６によってこの面に沿った振動を生起され、この振動によって、笠部３００を構成する基材３１０の表面から離脱された埃が、傾斜面を伝って効率よく、落下することになり、作業性よくセルフクリーニングを行うことができる。
【００３８】
なお、埃などの付着を忌避する忌避剤を塗布したり、あるいは表面にプラズマを発生させたりするような構成も有効である。
さらにまた、表面を平滑構造にするのではなく、表面に極めて細い繊毛を形成し、この繊毛を静電気的に動かすことで、埃の付着を防止するようにすることも可能である。
【００３９】
（実施の形態４）
次に本発明の実施の形態４について説明する。
図７および図８は、このペンダントライトの全体説明図、および同要部拡大断面図である。本実施の形態のペンダントライトは、図７（ａ）および（ｂ）に示すように、
開閉可能な笠部４００を具備し、この笠部４００に加振部４０６を装着される。
そして、図８に要部拡大図を示すように、この笠部４００は、鋸刃状の外表面４１を有し、鋸刃の外表面４１を構成する傾斜面１１が下方に向くように構成されている。そして、ペンダント状の吊り具４０５に装着された駆動部４０７によって、点灯時には開き、消灯すると閉じるように駆動されるように構成されている。４０２は、光源としての白熱電球または電球型蛍光灯である。ここで笠部４００における笠の開閉は手動でもよいし、自動でもよく、形状記憶合金で形成することで、所望の形状を容易に保持することができる。
【００４０】
この構成によれば、鋸刃の外表面が下方に向くように構成されており、より効率よく埃を落下させることで、埃の堆積を抑制することができる。
【００４１】
なお、実施の形態１乃至４において、カバー、笠部などの筐体は、基体そのものでもよいし、図９に要部拡大断面図を示すように、樹脂あるいは、ガラスからなる基体５００表面にコーティング層５０１を形成し、所望の硬度および平滑性を得るようにしたものでもよい。
【００４２】
また、実施の形態１乃至４において、加振部は、直接、カバー、笠部などの筐体を振動させるものであってもよいし、間接的に振動を与えるものであってもよい。
【００４３】
また、照明器具などにおいて、点灯モードのほかにお掃除モードに切り替え可能な切り替え部を具備し、所定の点灯時間ごとにお掃除モードに切替えられるように構成することで、自動的あるいは手動で、容易にセルフクリーニングを行なうことができる。
【００４４】
また、照明器具の形態としては、シーリングライト、ペンダントライトのほか、ベースライト、ダウンライト、スポットライトなど、特に限定されるものではなく、また、これらの照明器具のいずれの部材の表面に、本発明を適用してもよい。ここで器具本体は、天井裏に収納されるものであるが、前述したような露出する部材のみならず、これらについても同様の表面加工を施したセルフクリーニング機構を具備したものとしてもよい。また、照明器具が設置される場所についても屋内、屋外を問わず適用可能である。また、空間についても屋内であればリビング、キッチン、浴室など、適用場所についても、特に限定されるものではない。
【００４５】
＜基材＞について
なお、＜基材＞としては、特に制限されるものではないが、プラスチックや金属、ガラス、またこれらの物質上に着色などの目的で塗装などが施されたものが含まれる。また、基材は、変形を容易にするため、肉厚のものより薄肉のほうが好ましい。
また、基材に使用する材質として好ましくは、熱により所定の形状に変形する形状記憶性を有する物質が好ましい。具体的にはチタンとニッケルの合金、鉄とマンガン、ケイ素で構成される形状記憶合金がある。また形状記憶プラスチックスとしては、ポリウレタン系形状記憶樹脂（三菱重工業株式会社製）などがある。
【００４６】
さらにまた、基材を任意の形状に形成する方法としては、特に限定されるものではないが、プラスチックであれば射出成形、圧縮成形、トランスファー成形、真空成形、圧空成形などが挙げられる。
さらに、金属を基材として用いる場合には、一般的にはＡｌ基合金、Ｍｇ基合金、Ｆｅ基合金などが挙げられ、成形方法としてはスピニング加工、プレス加工、液圧成形、ダイキャスト、チクソモールディングなどが挙げられる。 
ガラスを基材として用いる場合には、プレス加工やブロー加工などが代表的である。
【００４７】
＜振動装置・振動子＞
加振部を構成する振動子（振動を発生させる機構）としては、携帯電話等に利用されている小型モータの回転軸をズラしたバイブレーター装置や超音波振動子、ソレノイドコイル、シェーバー等に使われている電磁駆動リニアモーターなどが上げられる。
なお、構成としては、電気的に制御が可能で振動の周期や強度を調整出来る方法であれば特に限定するものではない。
振動を付加する周期としては、常時振動させておいても良いが、騒音と省エネを考慮した場合、一定サイクルをおいて振動をＯＮ−ＯＦＦすることが望ましい。
【００４８】
＜照明器具＞
＜照明器具＞に用いる光源としては、白熱電球、電球型蛍光灯、直管および丸管蛍光灯、コンパクト蛍光灯、水銀灯、ＥＬ、ＬＥＤ等を用いることができ、特に制限されるものではない。
＜照明器具＞の形態としては、特にリビングやダイニングでの使用率が高いシーリングライト、ペンダントが主体であるが、ベースライト反射板やカバー、大型セード・反射板を有するダウンライトなども対象とし、特に限定するものではない。
＜照明器具＞は天井面や壁面上の一部に配設されるが、配設位置は部屋の中央、壁際など特に限定されるものではなく、さらに、固定されていてもよいし、移動可能な構造としてもよい。
【００４９】
＜カバー＞
シーリングライトのカバーなど、照明器具のカバー材料としては、和紙、不織布、ガラス、アクリル樹脂、ポリスチレン樹脂、ポリカーボネート樹脂、ポリエチレン樹脂、ポリプロピレン樹脂、ポリ乳酸樹脂またはそれらの複合樹脂組成物が上げられる。
振動を付加するため強度や振動の伝わり易さを考慮した場合、望ましくは、不織布、ゴム入りアクリル樹脂（例えば三菱レイヨン製ＩＲグレード）、ポリカーボネート樹脂、ポリエチレン樹脂、ポリプロピレン樹脂が望ましい。
また、カバーは、透光性材料でもよいが、拡散材を添加した乳白材や表面にガラを印刷した部材を用いてもよく、この場合、振動によりランプ透過光に変化を与えられ演出性のある照明環境を楽しむ事が可能となる。
【００５０】
＜コーティングおよびコーティング組成物＞
また、コーティングには紫外線硬化型アクリルコート、湿気硬化型シリコンアルコキシド系コートなどのハードコート塗装などが用いられるが、このほか、コーティング組成物には、既知の酸化防止剤、紫外線吸収剤、内部滑剤、レベリング剤、カップリング剤、消泡剤、艶消し剤などの添加物を加えてもよい。また、溶剤としてトルエン、キシレンなどの芳香族炭化水素、メタノール、エタノール、イソプロピルアルコールなどのアルコール類、酢酸エチル、エチセロ、メチセロ、セルソルブアセテートなどのエステル類、メチルエチルケトン、メチルイソブチルケトン、シクロヘキサンなどのケトン類などが挙げられる。これら溶剤は１種を単独で使用しても良く、２種以上を混合して使用しても良い。
また、コーティング層の形成方法としては、スプレー塗装法、浸漬法、静電塗装法などが用いられる。
【００５１】
＜外表面の形状＞について
＜傾斜面＞の形態としては、幅（ピッチ）、高さなどの寸法、形状など特に限定されるものではないが、表面の硬度が４Ｈ以上であって、平滑度が０．１μ以下であるのが望ましい。
＜傾斜面＞の加工方法としては、
１）基材を任意形状に加工する際に、金型表面に設けた凹凸形状を基材に転写する方法
：  金属、プラスチック、ガラス
２）物体表面をエッチングすることにより、基材表面に微細な凹凸を形成する方法
：  金属、プラスチック
３）エンボス加工、エンドミルを用いた切削加工などの機械加工により、基材表面に凹凸を形成する方法
：  金属、プラスチック、ガラス
などがある。
【００５２】
以上説明してきたように、本発明によれば、セルフクリーニングが可能であるため、汚れの生じ易いキッチン用照明器具、高い天井に設置されるシーリングライトをはじめとする種々の照明器具、冷蔵庫、天井パネルなどにも適用可能である。
【符号の説明】
【００５３】
１１０  基材
１１    傾斜面
２１    角錐
４１    外表面
１００  カバー
１０１  器具本体
１０２  直管蛍光灯
１０３  基板
１０４  点灯回路
１０６，２０６、３０６，４０６  加振部
２００  笠部
２１０  基材
３００  笠部
３０２  光源
３１０  基材
４０５  吊り具
４０７  駆動部
５００  基体
５０１  コーティング層
【図１】
2011003370.tif 000003
【図２】
2011003370.tif 000004
【図３】
2011003370.tif 000005
【図４】
2011003370.tif 000006
【図５】
2011003370.tif 000007
【図６】
2011003370.tif 000008
【図７】
2011003370.tif 000009
【図８】
2011003370.tif 000010
【図９】
2011003370.tif 000011
【図１０】
2011003370.tif 000012